(57)【要約】【課題】身体深部の筋肉に電気刺激を付与し、充分なトレーニング効果を得ることが可能な電気筋肉刺激装置を提供する。【解決手段】利用者の身体内部の筋肉を電気刺激するための電気筋肉刺激装置に、利用者の身体の対向する位置にそれぞれ接触させるための少なくとも一対の電極と、該一対の電極間に低周波パルス電圧を供給する供給部とを設ける。【選択図】        図１
2010131253.tif 000002
【特許請求の範囲】
【請求項１】
利用者の身体内部の筋肉を電気刺激するための電気筋肉刺激装置であって、
前記利用者の身体の対向する位置にそれぞれ接触させるための少なくとも一対の電極と、
該一対の電極間に低周波パルス電圧を供給する供給部と、
を備えることを特徴とする電気筋肉刺激装置。
【請求項２】
前記一対の電極は、一つの共通電極と、少なくとも一つの対電極とからなり、
前記供給部は、前記共通電極及び各前記対電極間に前記低周波パルス電圧を供給する
ことを特徴とする請求項１記載の電気筋肉刺激装置。
【請求項３】
前記共通電極及び各前記対電極は、利用者の身体に巻きつけて装着されるベルトにより前記身体に固定されることを特徴とする請求項２記載の電気筋肉刺激装置。
【請求項４】
各前記対電極は、円弧に沿って所定間隔で配列され、
前記供給部は、前記共通電極及び各前記対電極間に、順に前記低周波パルス電圧の供給を行うことを特徴とする請求項２記載の電気筋肉刺激装置。
【請求項５】
各前記対電極は、利用者の身体に巻きつけて装着されるベルトの表面に固定されることを特徴とする請求項４記載の電気筋肉刺激装置。
【請求項６】
各前記対電極は、固定パッドにより固定されることを特徴とする請求項４記載の電気筋肉刺激装置。
【請求項７】
前記固定パッドは、シリコンゴムからなることを特徴とする請求項６記載の電気筋肉刺激装置。
【発明の詳細な説明】
【技術分野】
【０００１】
本発明は、筋肉を電気的に刺激してトリートメントを行う電気筋肉刺激装置に関する。
【背景技術】
【０００２】
従来、腹部や腕、足等の身体の所定部位に電極を接触させて、パルス状の低周波電圧を付与し、筋肉を電気的に刺激することにより、筋肉のトレーニングや痩身のためのトリートメントを行う電気筋肉刺激装置が知られている（例えば、下記特許文献１参照）。
【特許文献１】特開２００５−１３５９３号公報
【発明の開示】
【発明が解決しようとする課題】
【０００３】
しかしながら、上記した従来の電気筋肉刺激装置では、身体深部の筋肉にまで刺激を与えることができず、充分な効果を得ることができなかった。
【課題を解決するための手段】
【０００４】
本発明は、以上の点を解決するために、次の構成を採用する。
【０００５】
〈構成〉
本発明に係る電気筋肉刺激装置は、利用者の身体内部の筋肉を電気刺激するために、利用者の身体の対向する位置にそれぞれ接触させるための少なくとも一対の電極と、該一対の電極間に低周波パルス電圧を供給する供給部とを備えることを特徴とする。
【発明の効果】
【０００６】
本発明の電気筋肉刺激装置によれば、例えば、身体の正面及び背面に接触させた各電極間に通電が行われるので、身体深部の筋肉にまで電気的な刺激を与えることが可能となる。したがって、より効果的な筋肉のトレーニングが可能となると共に、内臓に刺激を与えて活性化させることができるので、内臓脂肪を減少させて痩身効果を得ることが可能となる。
【発明を実施するための最良の形態】
【０００７】
以下、本発明の実施形態を、図を用いて詳細に説明する。
【実施例１】
【０００８】
図２は、実施例１に係る電気筋肉刺激装置の筐体の外形を示す図である。また、図３は、１極パッドの外形を示す図であり、図４は、５極パッドの外形を示す図である。また、図５は、実施例１の組パッドの外形を示す図である。
本実施例の電気筋肉刺激装置１０は、業務用に使用され、筐体１１と、該筐体１１に接続して使用される１極パッド１２、５極パッド１３及び組パッド１４とを含んで構成される。
なお、本実施例では、１極パッド１２及び５極パッド１３は、それぞれ２つずつ設けられ、これらを同時に筐体１１に接続して使用可能となっている。また、１極パッド１２、５極パッド１３及び組パッド１４を総称して、パッドと記すこととする。
【０００９】
図２（ａ）は、電気筋肉刺激装置１０の筐体１１の正面部を示す図であり、図２（ｂ）は、筐体１１の背面部を示す図である。
【００１０】
電気筋肉刺激装置１０の筐体１１には、図２（ａ）に示されるように、正面部に３つの接続口１５ａ、１５ｂ、１５ｃが、それぞれ設けられている。
【００１１】
接続口１５ａは、５極パッド１３（図４）が接続されるＣＨ１（チャネル１）の出力口である。ＣＨ１の出力系は、５極パッド１３及び１極パッド１２を介して、トリートメント部位の筋肉に回転刺激やサージ刺激（後述）を与えるために使用される。
【００１２】
接続口１５ａの周囲には、図２（ａ）に示されるように、アース用の端子１６ａが設けられている。この端子１６ａには、１極パッド１２（図３）が接続されて使用される。また、接続口１５ａの周囲には、図２（ａ）に示されるように、ＣＨ１の出力レベルを調整するためのダイヤル１７ａと、ＣＨ１の出力レベルを表示するためのレベル表示パネル１８ａとが、それぞれ配置されている。
【００１３】
同様に、接続口１５ｂは、５極パッド１３が接続されるＣＨ２（チャネル２）の出力口である。ＣＨ２の出力系は、ＣＨ１の出力系と同様に、５極パッド１３及び１極パッド１２を介して、トリートメント部位の筋肉に回転刺激やサージ刺激を与えるために使用される。
【００１４】
接続口１５ｂの周囲には、図２（ａ）に示されるように、ＣＨ２に対応するアース用の端子１６ｂと、ダイヤル１７ｂと、レベル表示パネル１８ｂとが、それぞれ配置されている。端子１６ｂには、１極パッド１２が接続されて使用される。
【００１５】
接続口１５ｃは、組パッド１４（図５）が接続されるＣＨ３（チャネル３）の出力口である。ＣＨ３の出力系は、組パッド１４を介して、トリートメント部位の筋肉にＥＭＳ（Ｅｌｅｃｔｒｉｃａｌ  Ｍｕｓｃｌｅ  Ｓｔｉｍｕｌａｔｉｏｎ：電気筋肉刺激）信号によるＥＭＳ刺激（後述）を与えるために使用される。
【００１６】
接続口１５ｃの周囲には、図２（ａ）に示されるように、ＣＨ３の出力レベルを調整するためのダイヤル１７ｃと、出力レベルを表示するためのレベル表示パネル１８ｃとが、それぞれ配置されている。
【００１７】
筐体１１の正面部には、更に、図２（ａ）に示されるように、複数の操作ボタン１９ａ〜１９ｆが設けられている。
【００１８】
操作ボタン１９ａは、動作継続時間の設定を行うためのタイマボタンである。
操作ボタン１９ｂは、動作モード等を選択するためのセレクトボタンである。
操作ボタン１９ｃは、操作ボタン１９ｂによる選択を決定するためのセットボタンである。
【００１９】
操作ボタン１９ｄは、出力の開始指示を行うためのスタートボタンである。
操作ボタン１９ｅは、出力の停止指示を行うためのストップボタンである。
操作ボタン１９ｆは、各設定を変更不可とするためのロックボタンである。
【００２０】
また、筐体１１の正面部には、図２（ａ）に示されるように、動作継続時間の残り時間を表示するためのタイマ表示パネル２０と、動作モードの選択のための選択画面や動作状態を表示するための表示画面等の表示を行う主表示パネル２１とが、それぞれ配設されている。
【００２１】
図６は、主表示パネルの表示例を示す図である。
例えば、主表示パネル２１には、図６（ａ）に示されるように、動作モードをオペレータに選択させるための選択画面が表示される。本実施例の電気筋肉刺激装置１０は、２つの動作モード、即ち、第１動作モード及び第２動作モードを有する。第１動作モードは、トリートメント部位を指定してトリートメント処理を実行する場合に選択される動作モードである。第２動作モードは、ＣＨ３の出力系を利用する場合に選択される動作モードである。
【００２２】
また、主表示パネル２１には、図６（ｂ）に示されるように、第１動作モードに対応して設定されている各動作モードから、何れかをオペレータに選択させるための選択画面が表示される。本実施例の電気筋肉刺激装置１０では、図６（ｂ）に示されるように、第１動作モードに対応して、７つの動作モード、即ち、腹セラピーモード、メタボリックモード、腹・ふとももモード、下半身モード、二の腕・背中モード、ヒップ周辺モード及びドレナージュモードが、設定されている。これらの各動作モードは、トリートメント部位に応じて、選択される。
【００２３】
例えば、腹セラピーモードは、ＣＨ１或いはＣＨ２の出力系を利用する動作モードであり、腹部の筋肉に回転刺激を与え、引き締め効果を得るために利用される。
メタボリックモードは、ＣＨ１或いはＣＨ２の出力系を利用して、腹部の筋肉に回転刺激及びサージ刺激を付与すると共に、ＣＨ３の出力系を利用して、わき腹の筋肉にＥＭＳ刺激を付与し、腹部を中心とした引き締め効果を得るために利用される動作モードである。
【００２４】
腹・ふとももモードは、ＣＨ１及びＣＨ２を利用して、ふともも上面に回転刺激及びサージ刺激を与えると共に、ＣＨ３を利用して、腹部にＥＭＳ刺激を与え、ふともも及び腹部の引き締め効果を得るために選択される。
下半身モードは、ＣＨ１及びＣＨ２を利用して、ふともも裏面に回転刺激及びサージ刺激を与えることにより、リンパや血液の流れを改善するドレナージュ効果を得ると共に、ＣＨ３を利用して、ふくらはぎにＥＭＳ刺激を与えることにより、脚の引き締め効果を得るために利用される動作モードである。
【００２５】
二の腕・背中モードは、ＣＨ１或いはＣＨ２を利用して、背中の筋肉に回転刺激及びサージ刺激を与えて、背中の筋肉を鍛えると共に、ＣＨ３を利用して、二の腕にＥＭＳ刺激を与えて、引き締め効果を得るために選択される。
ヒップ周辺モードは、ＣＨ１或いはＣＨ２を利用して、臀部の筋肉に回転刺激及びサージ刺激を与えて、引き締め及びヒップアップ効果を得ると共に、ＣＨ３を利用して、ふともも裏面にＥＭＳ刺激を与えて、引き締め効果を得るために利用される。
【００２６】
ドレナージュモードは、ＣＨ３を利用して、左右の脚に順にＥＭＳ刺激を与え、筋肉運動させることにより、脚へのドレナージュ効果を得るために選択される。
【００２７】
また、主表示パネル２１には、図６（ｃ）に示されるように、第２動作モードに対応して設定されている各動作モードから何れかをオペレータに選択させるためのモード選択画面が表示される。本実施例の電気筋肉刺激装置１０では、図６（ｃ）に示されるように、第２動作モードに対応して、３つの動作モード、即ち、ＥＭＳ１モード、ＥＭＳ２モード及びＥＭＳ３モードが設定されている。これらの各動作モードは、ＣＨ３の出力系を利用して、トリートメント部位の筋肉に、比較的強いＥＭＳ刺激を与えて筋肉運動させるための動作モードである。
【００２８】
例えば、ＥＭＳ１モードは、ふとももや腹部など、比較的脂肪の多い部位に適した動作モードである。
ＥＭＳ２モードは、ふくらはぎや二の腕など、比較的筋肉の多い部位に適した動作モードである。
ＥＭＳ３モードは、背中など、比較的脂肪の少ない部位に適した動作モードである。
【００２９】
筐体１１の正面部には、更に、図２（ａ）に示されるように、端子２２が設けられている。この端子２２には、図示せぬ緊急停止スイッチ用ケーブルを接続可能である。この端子２２に接続された緊急停止スイッチを操作することにより、電気筋肉刺激装置１０の出力を強制的に停止させることができる。
【００３０】
筐体１１の背面部には、図２（ｂ）に示されるように、電源スイッチ２３と、電気筋肉刺激装置１０内の回路を保護するためのヒューズ２４と、プラグを介して商用交流電源に接続可能な電源コード２５とが設けられている。
【００３１】
１極パッド１２は、円盤状の導電性ゴムからなり、図３に示されるように、通電コード２６に接続されている。１極パッド１２は、該通電コード２６の端部に設けられたプラグ２６ａが、ＣＨ１或いはＣＨ２の端子１６ａ、１６ｂ（図２（ａ））に挿入されて、電気的に接続される。
【００３２】
５極パッド１３は、図４に示されるように、シート状のシリコンゴムからなる半透明の固定パッド１３ａを備えている。該固定パッド１３ａには、その縁部に沿って、導電性ゴムからなる５つの導電部１３ｂ−１〜５が、所定間隔に配列されて固定されている。各導電部１３ｂ−１〜５には、それぞれ、図４に示されるように、通電コード１３ｃが接続されている。これらの通電コード１３ｃは、固定パッド１３ａの縁端部で、１本の接続コード２７に纏められる。接続コード２７は、ＣＨ１或いはＣＨ２の接続口１５ａ、１５ｂ（図２（ａ））に接続されて、使用される。
【００３３】
上記した１極パッド１２は共通電極として、また、５極パッド１３の各導電部１３ｂ−１〜５は対電極として、筐体１１に電気的に接続され、５チャネルの出力系を構成する。
【００３４】
組パッド１４は、図５に示されるように、導電性ゴムからなる６つの１極パッド１４ａ−１〜６に、通電コード１４ｂ−１〜６が接続されて構成される。各通電コード１４ｂ−１〜６は、１本の接続コード２８に纏められ、該接続コード２８が、筐体１１のＣＨ３の接続口１５ｃに接続されて、使用される。組パッド１４は、各１極パッド１４ａ−１〜６が２つずつ対になり、３チャネルの出力系を構成する。
【００３５】
また、本実施例の電気筋肉刺激装置１０には、付属品として、各パッドをトリートメント部位に固定するためのベルト（不図示）が備えられる。
【００３６】
次に、本実施例の電気筋肉刺激装置１０の制御系統について、図１を用いて説明する。
図１は、本発明の実施例１に係る電気筋肉刺激装置の機能構成を示すブロック図である。
【００３７】
電気筋肉刺激装置１０は、図１に示されるように、電源回路３０、スイッチ回路３１、表示パネル部３２、チャネル制御部３３ａ〜３３ｃ及び装置制御部３４を含んで構成される。
【００３８】
電源回路３０は、ヒューズ２４及び電源コード２５を介して、商用交流電源に接続し、スイッチ回路３１や装置制御部３４等、各部への電力供給を行う。
【００３９】
スイッチ回路３１は、操作ボタン１９ａ〜１９ｆ及びダイヤル１７ａ〜１７ｃを含んで構成され、オペレータによる各操作ボタン１９ａ〜１９ｆやダイヤル１７ａ〜１７ｃの操作に基づき、対応する信号を生成し、該信号を装置制御部３４に入力する。
【００４０】
表示パネル部３２は、レベル表示パネル１８ａ〜１８ｃ、タイマ表示パネル２０及び主表示パネル２１と、図示せぬパネル駆動回路とを含んで構成され、装置制御部３４による制御に基づいて、出力レベルや残り時間、選択画面等の表示を行う。
【００４１】
チャネル制御部３３ａ〜３３ｃは、装置制御部３４の制御に基づき、各チャネル、即ちＣＨ１〜ＣＨ３の出力系による低周波パルス信号の出力を制御する回路からなり、供給部として、低周波パルス電圧の供給を行う。
【００４２】
チャネル制御部３３ａは、ＣＨ１の接続口１５ａ及び端子１６ａからの出力を制御するために、定常パルス信号発生部３５ａ、ＥＭＳ信号発生部３６ａ及び出力制御部３７ａを備えている。同様に、チャネル制御部３３ｂは、ＣＨ２の接続口１５ｂ及び端子１６ｂからの出力を制御するために、定常パルス信号発生部３５ｂ、ＥＭＳ信号発生部３６ｂ及び出力制御部３７ｂを備えている。また、チャネル制御部３３ｃは、ＣＨ３の接続口１５ｃからの出力を制御するために、ＥＭＳ信号発生部３６ｃ及び出力制御部３７ｃを備えている。
【００４３】
定常パルス信号発生部３５ａ〜３５ｃは、定常パルス信号を発生させる回路からなる。
図７は、定常パルス信号の信号パターンを示す説明図である。
【００４４】
定常パルス信号は、図７に示されるように、所定の振幅電圧Ｖｐ及びパルス幅Ｗｐを有するプラス及びマイナス電圧の各パルス信号からなり、パルス周波数ｆｐで出力される。ここで、振幅電圧Ｖｐ、パルス幅Ｗｐ及びパルス周波数ｆｐは、それぞれパラメータであり、各動作モードに応じて設定される。定常パルス信号は、トリートメント部位の筋肉に回転刺激を与えるために利用される。
【００４５】
ＥＭＳ信号発生部３６ａ〜３６ｃは、ＥＭＳ信号を発生させる回路からなる。
図８は、ＥＭＳ信号の信号パターンを示す説明図である。
【００４６】
ＥＭＳ信号は、図８に示されるように、パルス幅Ｗｐは一定で、出力電圧Ｖが変調する複数のパルス信号からなる。ＥＭＳ信号発生部３６ａ〜３６ｃは、パルス信号の出力電圧Ｖを０から所定の振幅電圧Ｖｐまで上昇させ、一定時間Ｔｈ維持した後、Ｖｐから０まで下降させる。その後、休止時間Ｔｒをはさんで、次のＥＭＳ信号が出力される。出力電圧Ｖを０からＶｐまで上昇させるために要する時間を、ランプアップ時間Ｔｕとし、Ｖｐから０まで下降させるために要する時間を、ランプダウン時間Ｔｄとすると、各ＥＭＳ信号の通電時間Ｔｏは、Ｔｏ＝Ｔｕ＋Ｔｈ＋Ｔｄとなる。本実施例では、ランプアップ時間Ｔｕ及びランプダウン時間Ｔｄは、それぞれ１ｓに設定される。通電時間Ｔｏ及び休止時間Ｔｒは、パラメータであり、各動作モードに応じて設定される。また、ＥＭＳ信号において、振幅電圧Ｖｐと、各パルス信号のパルス幅Ｗｐ及びパルス周波数ｆｐは、同様に、それぞれパラメータであり、各動作モードに応じて設定される。ＥＭＳ信号は、トリートメント部位の筋肉にサージ刺激或いはＥＭＳ刺激を与えるために利用される。
【００４７】
出力制御部３７ａ、３７ｂは、５極回転モード及びサージモードからなる２つの出力モードで、５チャネルの出力系を制御する機能を有する。即ち、出力制御部３７ａは、ＣＨ１の接続口１５ａに接続された５極パッド１３の各導電部１３ｂ−１〜５に対する出力を制御する。また、出力制御部３７ｂは、ＣＨ２の接続口１５ｂに接続された５極パッド１３の各導電部１３ｂ−１〜５に対する出力を制御する。
【００４８】
図９は、５極回転モードの出力パターンを示す説明図である。
５極回転モードは、トリートメント部位の筋肉に回転刺激を与えるために、図９に示されるように、所定の通電時間Ｔｏ及び休止時間Ｔｒからなる１ブロックの出力を、チャネル毎に順に移行させる出力モードである。各ブロックは、図７に示される定常パルス信号を複数含む。各ブロックにおいて、定常パルス信号の振幅電圧Ｖｐ及びパルス周波数ｆｐは、それぞれ一定に保たれるが、パルス幅Ｗｐは、５０μｓ〜２００μｓの間で変調する。また、各ブロックにおける休止時間Ｔｒは４０ｍｓに設定され、通電時間Ｔｏは１２０ｍｓ〜２００ｍｓの範囲で設定される。
【００４９】
図１０は、サージモードの出力パターンを示す説明図である。
サージモードは、トリートメント部位の筋肉にサージ刺激を与えるために、図８に示されるＥＭＳ信号を、図１０に示されるように、１パルス毎にチャネルを移行させて出力する出力モードである。各パルス信号の出力電圧Ｖは、０から振幅電圧Ｖｐの間で変調する。本実施例では、サージモードにおいて、ＥＭＳ信号のパルス周波数ｆｐは、ｆｐ１＝２００Ｈｚ及びｆｐ２＝３００Ｈｚに設定される。即ち、パルス周波数ｆｐ１及びｆｐ２のＥＭＳ信号が、休止時間Ｔｒを挟んで、交互に出力される。また、各ＥＭＳ信号に含まれるパルス信号のパルス幅Ｗｐは２００μｓに設定される。更に、ＥＭＳ信号の通電時間Ｔｏは８ｓに設定され、休止時間Ｔｒは２ｓに設定される。
【００５０】
また、出力制御部３７ｃは、３チャネルの出力系を制御する機能を有し、ＣＨ３の接続口１５ｃに接続された組パッド１４の各１極パッド１４ａ−１〜６に対する出力を制御する。出力制御部３７ｃは、２つずつ対をなす各１極パッド１４ａ−１〜６に対して、図８に示されるＥＭＳ信号を出力すべく制御を行う。
【００５１】
装置制御部３４は、図１に示されるように、メモリ３８及びＣＰＵ３９を含んで構成される。
【００５２】
メモリ３８には、電気筋肉刺激装置１０の各部を制御するための各種プログラムやデータ等が記憶されている。
ＣＰＵ３９は、メモリ３８のプログラムを実行して、各部の制御を行う。
【００５３】
例えば、メモリ３８には、低周波パルス信号の信号データとして、定常パルス信号データ及びＥＭＳ信号データが記憶されている。定常パルス信号発生部３５ａ、３５ｂは、この定常パルス信号データに基づいて、図７に示される信号パターンの定常パルス信号を発生させる。同様に、ＥＭＳ信号発生部３６ａ〜３６ｃは、ＥＭＳ信号データに基づいて、図８に示される信号パターンのＥＭＳ信号を発生させる。
【００５４】
また、メモリ３８には、各出力モードに応じて、出力パターンを示すパターンデータが記憶されている。例えば、メモリ３８には、５極回転モードに対応して、図９に示される出力パターンを示す回転パターンデータが記憶されている。また、メモリ３８には、サージモードに対応して、図１０に示される出力パターンを示すサージパターンデータが記憶されている。
【００５５】
更に、メモリ３８には、各動作モードに対応して、動作プログラムが記憶されている。各動作プログラムにより、５極回転モード及びサージモードの組み合わせデータや、定常パルス信号及びＥＭＳ信号のパラメータ値が設定される。本実施例での電気筋肉刺激装置１０では、メモリ３８には、第１動作モードの７つの動作モードと、第２動作モードの３つの動作モードとに対応して、１０の動作プログラムが記憶されている。装置制御部３４は、選択された動作モードに対応するプログラムに基づいて、各ＣＨにおける低周波パルス信号の出力パターン、即ち出力レベルや出力タイミングを制御する。
【００５６】
次に、本実施例の電気筋肉刺激装置１０の動作について、説明する。
ここでは、ＣＨ１の出力系を利用して、利用者の腹部へのトリートメントを実行させる場合を例に、説明を行う。
図１１は、実施例１に係る電気筋肉刺激装置のトリートメント動作を説明する図である。
【００５７】
電気筋肉刺激装置１０の筐体１１において、ＣＨ１の接続口１５ａには、５極パッド１３の接続コード２７が接続される。また、ＣＨ１のアース用の端子１６ａには、１極パッド１２の通電コード２６が接続される。
【００５８】
そして、５極パッド１３及び１極パッド１２は、図１１に示されるように、利用者の腹部及び背面に、対向して装着される。
【００５９】
なお、パッドの装着に先立ち、トリートメント部位の皮膚面には、導通用ジェルが塗布される。導通用ジェルは、トリートメント部位における通電性や、各パッドの皮膚面への密着性を高めると共に、皮膚を保護して肌荒れを防ぐ役割を果たす。
【００６０】
オペレータは、半透明の固定パッド１３ａを目視して、５極パッド１３を、利用者の腹部の皮膚面上に、５つの導電部１３ｂ−１〜５が臍を取り囲むように配置する。また、オペレータは、５極パッド１３の配置位置に対向する背中の皮膚面に、１極パッド１２を当接させる。そして、電気筋肉刺激装置１０の付属品である固定用のベルト（不図示）を外側から巻きつけて、５極パッド１３及び１極パッド１２を固定させる。
【００６１】
更に、オペレータは、操作ボタン１９ｂ及び操作ボタン１９ｃを操作して、動作モードの選択を行う。ＣＨ１の出力系のみを利用して、腹部へのトリートメント処理を実行させる場合、オペレータは、第１動作モードの腹セラピーモードを選択する。
【００６２】
筐体１１の電源スイッチ２３（図２（ｂ））がＯＮされると、主表示パネル２１には、図６（ａ）に示される選択画面が表示される。この選択画面の表示中、オペレータが、操作ボタン１９ｂを操作して、第１動作モードを選択した後、操作ボタン１９ｃを押下すると、主表示パネル２１には、図６（ｂ）に示されるように、第１動作モードに対応する選択画面が表示される。オペレータは、操作ボタン１９ｂを操作して、腹セラピーモードを選択し、操作ボタン１９ｃを押下する。
【００６３】
また、オペレータは、ＣＨ１に対応するダイヤル１７ａを操作して、所望の出力レベルを設定する。その後、オペレータは、操作ボタン１９ｄを押下して、出力の開始指示を行う。
【００６４】
スイッチ回路３１は、オペレータによるダイヤル１７ａ及び操作ボタン１９ｂ〜１９ｄの操作に基づき、対応する信号を生成して出力する。装置制御部３４は、スイッチ回路３１からの入力信号に基づき、第１動作モードの腹セラピーモードに対応する動作プログラムを実行して、ＣＨ１のチャネル制御部３３ａに対して制御を行う。
【００６５】
腹セラピーモードでは、チャネル制御部３３ａは、フェーズ１からフェーズ５までの５つのフェーズで、右回りの５極回転モードにより、定常パルス信号の出力を行う。この出力に伴い、５極パッド１３の５つの導電部１３ｂ−１〜５には、端子１６ａに接続された１極パッド１２をＧＮＤとして、図１１に矢印Ａで示されるように、右回りで順に電位が付与される。即ち、各導電部１３ｂ−１〜５をｃｈ１〜ｃｈ５として、図９に示されるように、定常パルス信号が出力される。
【００６６】
まず、フェーズ１として、接続口１５ａ及び端子１６ａを介して、５極回転モード（図９）の出力が行われる。フェーズ１では、定常パルス信号のパルス周波数ｆｐ＝２００Ｈｚ及び各ブロックの通電時間Ｔｏ＝２００ｍｓが設定される。また、各フェーズにおける振幅電圧Ｖｐは、オペレータの操作に基づき設定された出力レベルに基づき初期値が設定され、時間の経過と共に強くなる。
【００６７】
定常パルス信号発生部３５ａは、設定された各パラメータに基づき、定常パルス信号を発生させる。そして、出力制御部３７ａが、発生された定常パルス信号を、まず、導電部１３ｂ−１に出力する。通電時間Ｔｏ＝２００ｍｓが経過すると、出力制御部３７ａは、休止時間Ｔｒ＝４０ｍｓの出力休止後、図１１に矢印Ａで示されるように、出力先を導電部１３ｂ−１から導電部１３ｂ−２に切り替える。そして、定常パルス信号の出力が再開される。続いて、通電時間Ｔｏが経過すると、出力制御部３７ａは、休止時間Ｔｒの出力休止後、出力先を導電部１３ｂ−２から導電部１３ｂ−３に切り替え、出力を再開する。
【００６８】
このように、各導電部１３ｂ−１〜５に、右回りで順に、定常パルス信号が出力される。フェーズ１では、この出力は１．２秒で１周し、出力制御部３７ａは、出力先を導電部１３ｂ−５から導電部１３ｂ−１に切り替える。チャネル制御部３３ａは、このフェーズ１の出力を、３分間継続する。即ち、チャネル制御部３３ａは、フェーズ１として、５極パッド１３の各導電部１３ｂ−１〜５に、３００回転分の出力を行う。
【００６９】
次に、フェーズ２として、接続口１５ａ及び端子１６ａを介して、５極回転モードの出力が行われる。フェーズ２では、パルス周波数ｆｐはフェーズ１と同じく２００Ｈｚのまま、各ブロックの通電時間が、Ｔｏ＝１６０ｍｓに変更される。このとき、各導電部１３ｂ−１〜５への出力は、１．０秒で１周することとなる。チャネル制御部３３ａは、このフェーズ２を５分間継続する。
【００７０】
続いて、フェーズ３として、接続口１５ａ及び端子１６ａを介して、５極回転モードの出力が行われる。フェーズ３では、パルス周波数ｆｐ＝３００Ｈｚ及び通電時間Ｔｏ＝１４０ｍｓが設定される。このとき、各導電部１３ｂ−１〜５への出力は、０．９秒で１周することとなる。チャネル制御部３３ａは、このフェーズ３を５分間継続する。
【００７１】
次に、フェーズ４として、接続口１５ａ及び端子１６ａを介して、５極回転モードの出力が行われる。フェーズ４では、パルス周波数ｆｐ＝４００Ｈｚ及び通電時間Ｔｏ＝１４０ｍｓが設定される。チャネル制御部３３ａは、このフェーズ４を１０分間継続する。
【００７２】
そして、フェーズ５として、接続口１５ａ及び端子１６ａを介して、５極回転モードの出力が行われる。フェーズ５では、パルス周波数ｆｐ＝４００Ｈｚ及び通電時間Ｔｏ＝１２０ｍｓが設定される。チャネル制御部３３ａは、このフェーズ５を７分間継続した後、出力を停止する。これにより、電気筋肉刺激装置１０による３０分間のトリートメント処理が終了する。
【００７３】
以上のように、電気筋肉刺激装置１０は、メモリ３８に記憶されている腹セラピーモードの動作プログラムに基づき、接続口１５ａを介して、定常パルス信号の出力を行う。チャネル制御部３３ａは、図９に示されるように、出力先を右回りで順に切り替えながら、図７に示されるように、５極パッド１３の各導電部１３ｂ−１〜５に、プラス及びマイナスのパルス電位を交互に付与する。
【００７４】
各導電部１３ｂ−１〜５にパルス電位が付与されると、ＧＮＤとしての１極パッド１２との間に、パルス状の電位差、即ちパルス電圧が発生する。例えば、導電部１３ｂ−１にプラス電位が付与されると、導電部１３ｂ−１及び１極パッド１２間には、パルス電圧が供給される。このパルス電圧に基づき、導電部１３ｂ−１から１極パッド１２へ、図１１に矢印Ｂで示されるように、パルス電流が流れることとなる。同様に、導電部１３ｂ−１にマイナス電位が付与されると、導電部１３ｂ−１及び１極パッド１２間には、逆極性のパルス電圧が生じ、１極パッド１２から導電部１３ｂ−１へ、図１１に矢印Ｃで示されるように、パルス電流が流れる。
【００７５】
利用者の腹部に当接するように配置された５極パッド１３の各導電部１３ｂ−１〜５と、該５極パッド１３に対向すべく背中側に配置された１極パッド１２との間に、パルス電流が発生すると、図１１に示されるように、利用者の腹部から背中に向けて（矢印Ｂ）、或いは背中から腹部に向けて（矢印Ｃ）、低周波パルス電流が流れる。これにより、利用者の体幹部の筋肉に電気刺激が付与されることとなる。
【００７６】
この電気刺激の付与により、体幹部の筋肉へのトレーニング効果が得られ、筋肉量の増加や皮下脂肪の減少、基礎代謝量の増加等の効果が得られる。また、内臓周辺の浮腫や水分量、内臓脂肪の減少が見込まれる。更に、腹部に対して、右回転の回転刺激が付与されることにより、腸の蠕動運動が促され、便秘が解消されるなど、内臓の活性化が期待される。
【００７７】
トリートメント部位を変える場合も、５極パッド１３及び１極パッド１２を、利用者の身体の対向する位置にそれぞれ装着し、出力を行うことにより、電気筋肉刺激装置１０は、利用者の身体に通電を行って、身体深部の筋肉に電気刺激を付与することができる。
【００７８】
図１２は、各導電部及び１極パッド間の通電を説明する図である。
５極パッド１３の各導電部１３ｂ−１〜５には、上記したように、プラス及びマイナスの電位が交互に付与される。これにより、５極パッド１３が当接する皮膚の表皮層には、図１２に示されるように、プラス或いはマイナスの電位が付与されることとなる。対向する裏側の皮膚面には、アース用の端子１６ａ、或いは１６ｂに接続された１極パッド１２が、図１２に示されるように、当接している。この１極パッド１２が、ＧＮＤとして作用し、電位が付与された表皮層との間に、低周波パルス電圧が発生することとなる。これにより、５極パッド１３の当接面の表皮層と、１極パッド１２の当接面との間に、図１２に破線で示されるように、低周波パルス電流が発生する。即ち、利用者の身体内部に低周波パルス電流が流れ、身体深部の筋肉に、電気刺激が付与されることとなる。
【００７９】
そこで、本実施例の電気筋肉刺激装置１０の効果を確かめるために、複数の被験者に対して、電気筋肉刺激装置１０によりトリートメント処理を施し、施術前後の被験者の体重や、腹部サイズ、脂肪率、脂肪面積等を測定し、測定結果の変化量を調べた。
【００８０】
ここでは、本実施例の電気筋肉刺激装置１０を用いて、７名の被験者（被験者１〜被験者７）に対して、８週間に亘り、第１動作モードのメタボリックモードを選択し、３０分のトリートメント処理を、週２回計１６回実施した。
【００８１】
メタボリックモードでは、ＣＨ１及びＣＨ３の出力系を利用して、被験者の腹部及びわき腹をそれぞれトリートメント部位として、トリートメント処理が実行される。
【００８２】
腹部をトリートメント部位とするトリートメント処理では、腹セラピーモードの場合と同様に、ＣＨ１の出力系が利用される。５極パッド１３及び１極パッド１２は、図１１に示されるように、利用者の腹部と背面とにそれぞれ装着される。接続口１５ａ及び端子１６ａからは、右回り及び左回りの５極回転モード（図９）と、サージモード（図１０）とを組み合わせた出力が、動作プログラムに基づき実行され、腹部の筋肉に回転刺激及びサージ刺激が付与される。
【００８３】
また、わき腹をトリートメント部位とするトリートメント処理では、組パッド１４の対をなす各１極パッド１４ａ−１、２及び１４ａ−３、４が、それぞれ、左右のわき腹に装着される。接続口１５ｃからは、パルス周波数ｆｐ＝４００ＨｚのＥＭＳ信号（図８）が出力され、１極パッド１４ａ−１、１４ａ−３にはプラス電位が、１極パッド１４ａ−２、１４ａ−４にはマイナス電位が、それぞれ付与される。これにより、わき腹の筋肉にＥＭＳ刺激が付与されることとなる。
【００８４】
上記したトリートメント処理による腹部へのトリートメント効果を調べるべく、本実施例では、被験者の腹部断面をコンピュータ断層撮影（ＣＴ）し、撮影画像に基づいて、全体脂肪面積を測定すると共に、全体の脂肪を内臓脂肪と皮下脂肪とに分類して、それぞれの脂肪面積を測定した。これらの測定結果を、図１３に示す。
図１３は、施術前後の腹部脂肪面積の測定結果を示す図である。
【００８５】
図１３（ａ）は、被験者１に対応し、図１３（ｂ）は、被験者４に対応している。
何れの被験者に対しても、全体脂肪面積の減少がみられる。被験者１の全体脂肪面積の減少率は４０．５０％であり、被験者４の減少率は２０．４０％である。
【００８６】
また、何れの被験者に対しても、皮下脂肪面積と比較して、内臓脂肪面積に大幅な減少がみられた。即ち、メタボリックモードによる腹部及びわき腹へのトリートメント処理の実施により、身体内部に位置する内臓脂肪が減少したことがわかる。
【００８７】
次に、各被験者に対する測定結果について、更に詳細に説明する。
図１４は、各被験者に対する測定結果の施術前後の変化量を示す図である。
図１４（ａ）には、各被験者の腹部サイズの変化量と、該変化量の平均値とが示される。
【００８８】
図１４（ａ）に示されるように、ウエスト、臍周囲、及び下腹部の各測定部位において、全ての被験者に、施術前後でサイズの減少がみられた。変化量の平均値は、ウエストサイズが−２．７ｃｍ、臍周囲サイズが−２．９ｃｍ、下腹部サイズが−２．９ｃｍである。このことからも、腹部及びわき腹へのトリートメント処理の実施により、各被験者の腹部の脂肪が減少し、ウエスト、臍周囲及び下腹部のサイズが減少したと考えられる。
【００８９】
また、図１４（ｂ）には、各各被験者の体重、ＢＭＩ（ボディマス指数）、全身体脂肪率、体幹部脂肪率、右足脂肪率、左足脂肪率、右腕脂肪率及び左腕脂肪率の施術前後の変化量と、変化量の平均値とが示される。
【００９０】
図１４（ｂ）に示されるように、被験者６の体重を除いて、全ての被験者に対する全ての測定項目に、施術前後で測定量の減少がみられた。特に、体幹部脂肪率は、他の脂肪率と比較して減少量が大きく、体重が僅かに増加した被験者６においても、その体幹部脂肪率の変化量は、−３．３％となっている。このことから、電気筋肉刺激装置１０を用いたトリートメント処理により、身体深部の筋肉へのトレーニング効果が得られたことがわかる。つまり、腹部の脂肪量が減少するのみならず、体幹部の筋肉量が増加し、基礎代謝が高まることから、足や腕をも含む全身の脂肪の燃焼が促進され、痩身効果が得られたと考えられる。
【００９１】
以上のように、本実施例の電気筋肉刺激装置１０は、例えば利用者の身体の正面及び背面に装着したパッド間に、低周波パルス電圧を供給することにより、身体内部への通電を行って、身体深部の筋肉に電気刺激を付与できる。したがって、筋肉を効果的にトレーニング可能となり、内臓脂肪を含む体脂肪の減少が可能となる。更に、円盤状に形成された５極パッド１３に設けられた複数の導電部１３ｂ−１〜５に、順次電位を付与することにより、内臓に回転刺激を与えて活性化させることが可能となる。また、定常パルス信号やＥＭＳ信号を組み合わせると共に、パルス電圧やパルス周波数を変化させるので、めりはりのある刺激を付与して、より効果的なトリートメント効果を得ることができる。
【実施例２】
【００９２】
図１５は、実施例２に係る電気筋肉刺激装置の本体部の外形を示す図である。また、図１６は、実施例２に係る電気筋肉刺激装置の接続例を示す図であり、図１７は、実施例２の組パッドの外形を示す図である。
本実施例の電気筋肉刺激装置５０は、家庭用美容器として、本体部５１に５極ベルト５６や組パッド５７が接続されて使用される。
なお、本実施例において、実施例１と同一の構成については同一の符号で示し、これらについての詳しい説明を省略する。
【００９３】
本実施例の電気筋肉刺激装置５０の本体部５１は、小型軽量で持ち運びが可能であり、図１５に示されるように、開閉可能な蓋５２を備えている。
【００９４】
また、本体部５１には、図１５に示されるように、液晶パネル５３と、複数の操作ボタン５４ａ〜５４ｆとが、それぞれ設けられている。
【００９５】
操作ボタン５４ａは、電源をＯＮ／ＯＦＦするための電源スイッチである。
【００９６】
操作ボタン５４ｂは、動作モードを選択するためのモードボタンである。
本実施例の電気筋肉刺激装置５０は、８つの動作モード、即ち腹１モード、腹２モード、背中モード、ふとももモード、ももうらモード、ヒップモード、ふくらはぎモード及びドレナージュモードを有する。これらの各動作モードの名称は、本体部５１に印字されている。液晶パネル５３は、操作ボタン５４ａが押下され、電源がＯＮされると、選択されている動作モードを示すモードポインタを表示する。利用者は、このモードポインタの表示を見ながら、操作ボタン５４ｂを押下して、所望の動作モードを選択する。
【００９７】
操作ボタン５４ｃ、５４ｄは、出力レベルを設定するためのボタンである。
本体部５１の側面には、２つの接続口５５ａ、５５ｂが設けられている。接続口５５ａは、ＣＨ１の出力口であり、接続口５５ｂは、ＣＨ２の出力口である。利用者は、操作ボタン５４ｃ、５４ｄを操作して、ＣＨ１及びＣＨ２における出力レベルを設定可能である。設定された出力レベルは、液晶パネル５３に表示される。
【００９８】
操作ボタン５４ｅは、動作継続時間の設定を行うためのタイマボタンである。
設定された動作継続時間の残り時間は、液晶パネル５３に表示される。
【００９９】
操作ボタン５４ｆは、ブザーをＯＮ／ＯＦＦするためのボタンである。
【０１００】
また、本実施例の電気筋肉刺激装置５０には、５極ベルト５６、１極パッド１２及び組パッド６０が備えられている。
【０１０１】
図１６に示される５極ベルト５６は、腹部や臀部に装着するためのウエスト用ベルトである。
５極ベルト５６には、図１６に示されるように、対電極としての５つの導電部５７−１〜５が設けられている。
【０１０２】
導電部５７−１〜５は、それぞれ、導電性ゴムからなり、５極ベルト５６の片面の中央部分に、円弧に沿って所定間隔に配列されて固定されている。５極ベルト５６において、導電部５７−１〜５が設けられた面を、導電部面とする。各導電部５７−１〜５には、それぞれ、通電コードが接続されている。
【０１０３】
５極ベルト５６には、更に、図１６に示されるように、接続部５８が設けられている。接続部５８は、入出力端子５８ａ及びアース用端子５８ｂを備える。入出力端子５８ａの出力側には、導電部５７−１〜５に接続された各通電コードが接続されている。また、入出力端子５８ａの入力側には、接続コード５９が接続される。この接続コード５９の他方の端部は、図１６に示されるように、電気筋肉刺激装置５０の本体部５１に設けられた何れかの接続口５５ａ、５５ｂに接続される。
【０１０４】
接続部５８のアース用端子５８ｂには、図１６に示されるように、１極パッド１２が、通電コード２６を介して接続され、共通電極として使用される。
【０１０５】
なお、本実施例の電気筋肉刺激装置５０には、５極ベルト５６として、図１６に示されるウエスト用ベルトの他に、２枚の脚用ベルトが備えられている。ウエスト用ベルト及び脚用ベルトは、５つの導電部５７−１〜５が、導電部面の中央部分に円弧に沿って配列されて固定される構成は同一であり、ベルト部分の太さや長さが異なる。
【０１０６】
本実施例の組パッド６０は、図１７に示されるように、導電性ゴムからなり粘着性を有する３つの１極パッド６１−１〜３に、通電コード６２−１〜３が接続されて構成される。各通電コード６２−１〜３は、１本の接続コード６３に纏められ、該接続コード６３の端子６３ａが、本体部５１の何れかの接続口５５ａ、５５ｂに挿入されて、電気的に接続される。
【０１０７】
次に、本実施例の電気筋肉刺激装置５０の制御系統について、図１８を用いて説明する。
図１８は、本発明の実施例２に係る電気筋肉刺激装置の本体部の機能構成を示すブロック図である。
【０１０８】
電気筋肉刺激装置５０の本体部５１は、図１８に示されるように、電源回路６４、スイッチ回路６５、ブザー回路６６、表示パネル部６７、チャネル制御部６８ａ、６８ｂ及び装置制御部６９を含んで構成される。
【０１０９】
電源回路６４は、図示せぬ付属品の電源コードを介して、商用交流電源に接続し、充電可能な回路であり、各部への電力供給を行う。
【０１１０】
スイッチ回路６５は、操作ボタン５４ａ〜５４ｆを含んで構成され、各操作ボタン５４ａ〜５４ｆの操作に基づき、対応する信号を生成し、装置制御部６９に入力する。
【０１１１】
ブザー回路６６は、装置制御部６９の制御に基づき、動作継続時間の終了やエラー発生等の報知を行う。
【０１１２】
表示パネル部６７は、液晶パネル５３及び図示せぬパネル駆動回路を含み、装置制御部６９の制御に基づき、モードポインタや出力レベル、残り時間等の表示を行う。
【０１１３】
チャネル制御部６８ａ、６８ｂは、装置制御部６９の制御に基づき、各接続口５５ａ、５５ｂを介する低周波パルス信号の出力を制御する回路からなり、供給部として、低周波パルス電圧の供給を行う。
【０１１４】
チャネル制御部６８ａは、ＣＨ１の接続口５５ａからの出力を制御するために、定常パルス信号発生部７０ａ、ＥＭＳ信号発生部７１ａ及び出力制御部７２ａを備えている。同様に、チャネル制御部６８ｂは、ＣＨ２の接続口５５ｂからの出力を制御するために、定常パルス信号発生部７０ｂ、ＥＭＳ信号発生部７１ｂ及び出力制御部７２ｂを備えている。
【０１１５】
定常パルス信号発生部７０ａ、７０ｂは、定常パルス信号（図７）を発生させる回路からなる。
ＥＭＳ信号発生部７１ａ、７１ｂは、ＥＭＳ信号（図８）を発生させる回路からなる。
【０１１６】
出力制御部７２ａ、７２ｂは、５極回転モード（図９）及びサージモード（図１０）からなる２つの出力モードで、５チャネルの出力系を制御する機能を有する。即ち、出力制御部７２ａは、ＣＨ１の接続口５５ａに接続された５極ベルト５６の各導電部５７−１〜５に対する出力を制御する。また、出力制御部７２ｂは、ＣＨ２の接続口５５ｂに接続された５極ベルト５６の各導電部５７−１〜５に対する出力を制御する。
【０１１７】
また、出力制御部７２ａ、７２ｂは、３チャネルの出力系を制御する機能を有し、接続口５５ａ、５５ｂに接続された組パッド６０の各１極パッド６１−１〜３に対する出力を制御する。
【０１１８】
装置制御部６９は、図１８に示されるように、メモリ７３及びＣＰＵ７４を含んで構成される。
【０１１９】
メモリ７３には、電気筋肉刺激装置５０の各部を制御するための各種プログラムやデータ等が記憶されている。
ＣＰＵ７４は、メモリ７３のプログラムを実行して、各部の制御を行う。
【０１２０】
次に、本実施例の電気筋肉刺激装置５０の動作について、説明する。
ここでは、ＣＨ１の出力系を利用して、利用者の腹部へのトリートメントを実行させる場合を例に、説明を行う。
図１９は、実施例２に係る電気筋肉刺激装置のトリートメント動作を説明する図である。
【０１２１】
電気筋肉刺激装置５０の本体部５１には、ＣＨ１の接続口５５ａに、ウエスト用の５極ベルト５６の入出力端子５８ａに接続された接続コード５９が接続される。また、５極ベルト５６のアース用端子５８ｂには、１極パッド１２の通電コード２６が接続される。
【０１２２】
そして、５極ベルト５６及び１極パッド１２は、図１９に示されるように、利用者の腹部及び背面に装着される。５極ベルト５６及び１極パッド１２の装着に先立ち、利用者のトリートメント部位の皮膚面には、実施例１と同様に、導通用ジェルが塗布される。
【０１２３】
利用者は、５極ベルト５６を腹部に巻きつけて装着する。このとき、利用者は、５極ベルト５６の導電部面が腹部の皮膚面に当接し、各導電部５７−１〜５が臍を取り囲むように、５極ベルト５６の装着位置を調整する。また、利用者は、各導電部５７−１〜５に対向すべく、１極パッド１２を、背面と５極ベルト５６との間に配置して固定させる。
【０１２４】
更に、利用者は、本体部５１の各操作ボタン５４ａ〜５４ｆを操作し、動作モードの選択や出力レベルの設定を行う。
【０１２５】
装置制御部６９は、スイッチ回路６５からの入力信号に基づき、選択された動作モードに対応する動作プログラムを実行して、ＣＨ１のチャネル制御部６８ａに対して制御を行う。
【０１２６】
そして、チャネル制御部６８ａにより、５極ベルト５６の各導電部５７−１〜５には、図１９に示されるように、１極パッド１２をＧＮＤとして、右回りで順にプラス及びマイナスの電位が付与される。即ち、各導電部５７−１〜５及び１極パッド１２間に、低周波パルス電圧が供給され、利用者の身体内部に、低周波パルス電流が流れることとなる。
【０１２７】
チャネル制御部６８ａは、動作プログラムに基づく出力を行い、動作継続時間が終了すると、出力を停止する。これにより、電気筋肉刺激装置５０による腹部のトリートメント処理が終了する。
【０１２８】
以上のように、本実施例の電気筋肉刺激装置５０では、５極ベルト５６に５つの導電部５７−１〜５が設けられるので、利用者本人が容易に装着可能となる。また、本体部５１が小型軽量で充電式であり、自在に持ち運び可能となるため、使用する場所を選ばず、利便性が向上される。
【図面の簡単な説明】
【０１２９】
【図１】本発明の実施例１に係る電気筋肉刺激装置の機能構成を示すブロック図である。
【図２】実施例１に係る電気筋肉指摘装置の筐体の外形を示す図である。
【図３】１極パッドの外形を示す図である。
【図４】５極パッドの外形を示す図である。
【図５】実施例１の組パッドの外形を示す図である。
【図６】主表示パネルの表示例を示す図である。
【図７】定常パルス信号の信号パターンを示す説明図である。
【図８】ＥＭＳ信号の信号パターンを示す説明図である。
【図９】５極回転モードの出力パターンを示す説明図である。
【図１０】サージモードの出力パターンを示す説明図である。
【図１１】実施例１に係る電気筋肉刺激装置のトリートメント動作を説明する図である。
【図１２】各導電部及び１極パッド間の通電を説明する図である。
【図１３】施術前後の腹部脂肪面積の測定結果を示す図である。
【図１４】各被験者に対する測定結果の施術前後の変化量を示す図である。
【図１５】実施例２に係る電気筋肉刺激装置の本体部の外形を示す図である。
【図１６】実施例２に係る電気筋肉刺激装置の接続例を示す図である。
【図１７】実施例２の組パッドの外形を示す図である。
【図１８】本発明の実施例２に係る電気筋肉刺激装置の本体部の機能構成を示すブロック図である。
【図１９】実施例２に係る電気筋肉刺激装置のトリートメント動作を説明する図である。
【符号の説明】
【０１３０】
１０、５０  電気筋肉刺激装置
１２  １極パッド
１３  ５極パッド
１３ｂ−１〜６  導電部
１４、６０  組パッド
３３ａ、３３ｂ、３３ｃ  チャネル制御部
３４  装置制御部
３５ａ、３５ｂ  定常パルス信号発生部
３６ａ、３６ｂ、３６ｃ  ＥＭＳ信号発生部
３７ａ、３７ｂ、３７ｃ  出力制御部
５６  ５極ベルト
５７−１〜５  導電部
６８ａ、６８ｂ  チャネル制御部
６９  装置制御部
７０ａ、７０ｂ  定常パルス信号発生部
７１ａ、７１ｂ  ＥＭＳ信号発生部
７２ａ、７２ｂ  出力制御部
【図１】
2010131253.tif 000003
【図２】
2010131253.tif 000004
【図３】
2010131253.tif 000005
【図４】
2010131253.tif 000006
【図５】
2010131253.tif 000007
【図６】
2010131253.tif 000008
【図７】
2010131253.tif 000009
【図８】
2010131253.tif 000010
【図９】
2010131253.tif 000011
【図１０】
2010131253.tif 000012
【図１１】
2010131253.tif 000013
【図１２】
2010131253.tif 000014
【図１３】
2010131253.tif 000015
【図１４】
2010131253.tif 000016
【図１５】
2010131253.tif 000017
【図１６】
2010131253.tif 000018
【図１７】
2010131253.tif 000019
【図１８】
2010131253.tif 000020
【図１９】
2010131253.tif 000021